(57)【要約】【課題】ＡＣアダプタ電源とバッテリー電源とを使用する携帯撮像装置および電源切替制御方法を提供する。【解決手段】バッテリー１１とＡＣアダプタ１２の少なくとも一方から供給される電圧から定電圧レギュレータ２１および抵抗Ｒ１、Ｒ２により基準電圧が形成され、基準電圧がコンパレータ２２の入力端子に供給される。また、ＡＣアダプタ１２から供給され、抵抗Ｒ３、Ｒ４により分圧された入力電圧がコンパレータ２２の他方の入力端子に供給される。コンパレータ２２で基準電圧と入力電圧が比較され、基準電圧が入力電圧よりも低いときはＦＥＴスイッチＳＷ１がＯＮし、ＡＣアダプタ１２側から電源が供給される。基準電圧が入力電圧よりも高いときはＦＥＴスイッチＳＷ２がＯＮし、バッテリー１１側から電源が供給される。【選択図】  図１
2005253147.tif 000002
【特許請求の範囲】
【請求項１】
少なくとも、ＡＣアダプタと接続される第１の電源端子と、バッテリーと接続される第２の電源端子を備えた携帯撮像装置において、
上記第１および第２の電源端子の少なくとも一方から入力される電圧から基準電圧を形成する手段と、
上記第１の電源端子から入力される入力電圧の値と、上記基準電圧の値を比較する比較手段と、
上記第１の電源端子および上記第２の電源端子にそれぞれ接続される第１および第２のスイッチング素子とを備え、
上記比較手段によって上記入力電圧の値と上記基準電圧の値を比較した結果、
上記入力電圧の値が上記基準電圧の値より高いときは、上記第１のスイッチング素子がＯＮされると共に、上記第２のスイッチング素子がＯＦＦされ、
上記入力電圧の値が上記基準電圧の値より低いときは、上記第１のスイッチング素子がＯＦＦされると共に、上記第２のスイッチング素子がＯＮされる携帯撮像装置。
【請求項２】
上記第１の電源端子から供給される電圧を用いて、上記第１および第２のスイッチング素子をＯＮにして、上記バッテリーを充電するようにした請求項１に記載の携帯撮像装置。
【請求項３】
少なくとも、ＡＣアダプタと接続される第１の電源端子と、バッテリーと接続される第２の電源端子を備えた携帯撮像装置の電源切替制御方法において、
上記第１および第２の電源端子の少なくとも一方から入力される電圧から基準電圧を形成する形成ステップと、
上記基準電圧の値および上記第１の電源端子から入力される入力電圧の値を比較する比較ステップと、
上記比較ステップの結果、
上記入力電圧の値が上記基準電圧の値より高いときは、上記第１の電源端子と接続された第１のスイッチング素子をＯＮすると共に、上記第２の電源端子と接続された第２のスイッチング素子をＯＦＦし、
上記入力電圧の値が上記基準電圧の値より低いときは、上記第１のスイッチング素子をＯＦＦすると共に、上記第２のスイッチング素子をＯＮする制御ステップとからなる電源切替制御方法。
【発明の詳細な説明】
【技術分野】
【０００１】
この発明は、ＡＣアダプタ電源とバッテリー電源とを使用する携帯撮像装置および電源切替制御方法に関する。
【背景技術】
【０００２】
近年、人物、風景などを撮影し、情報記録媒体に記録する携帯可能な撮像装置（以下，適宜、カムコーダ（comcoder：camera and recorderを略した用語）と称する）が広く普及している。例えば、ユーザが屋外でカムコーダを使用するときは、バッテリーを電源として使用する。
【０００３】
また、ユーザが屋内でカムコーダを使用するときやバッテリーの残量が少ないときは、バッテリーを装着し、かつ電源に接続されたＡＣアダプタをカムコーダに接続して使用していた。
【０００４】
図１０は従来のカムコーダに用いられる電源切替回路の一例を示す。説明の便宜上、主要な回路構成のみを示す。カムコーダの各系統に電力を供給するＤＣ−ＤＣコンバータ５６に対しては、バッテリー５１と、商用電源と接続されたＡＣアダプタ５２とが接続される。カムコーダにバッテリー５１とＡＣアダプタ５２の両方が接続されているときは、バッテリー５１の消費を少なくするため、ＡＣアダプタ５２が優先的に使用される。
【０００５】
電源制御用マイクロプロセッサ（以下、適宜、マイコンと称する）５７は、バッテリー側に設けられるスイッチ、例えばＦＥＴスイッチ５４のＯＮ、ＯＦＦの切り替えを行う。ＦＥＴスイッチ５４は、バッテリー５１からＤＣ−ＤＣコンバータ５６に電源を供給するときにＯＮする。
【０００６】
また、マイコン５７はＡＣアダプタ５２のジャック（図示しない）がカムコーダに挿し込まれたか否かの検出を行う。ＡＣアダプタ５２のジャックがカムコーダに挿し込まれていないときはプルアップ抵抗５５を介された直流電圧によりマイコン５７の検出ポートがハイレベル（以下、適宜、Ｈと称する。）とされる。
【０００７】
ＡＣアダプタ５２のジャックがカムコーダに挿し込まれると、プルアップ抵抗５５を介して直流電圧端子が接地され、マイコン５７の検出ポートはローレベル（以下、適宜、Ｌと称する）とされる。このようにして、ＡＣアダプタ５２の挿込検出を行うことができる。ＡＣアダプタ５２のジャックがカムコーダから抜かれることは、マイコン５７の検出ポートがＬからＨになることにより検出する。このように、マイコン５７は、ＡＣアダプタ５２のジャックがカムコーダに挿し込まれたか、若しくは抜かれたかを機械的に判別し、ＡＣアダプタ５２から電源が供給されているかどうかは判別しない。
【０００８】
下記の特許文献１には、アダプタ電源と充電可能なバッテリーを有する内部電源の電源切替方法が記載されている。
【０００９】
【特許文献１】特開２０００−７５９７０号公報
【発明の開示】
【発明が解決しようとする課題】
【００１０】
上述した従来の電源切替回路では、次のような問題があった。マイコン５７の処理がソフトウェアにより行われるため、瞬時にＦＥＴスイッチ５４のＯＮ、ＯＦＦの切り替えをすることができない。言い換えれば、カムコーダからＡＣアダプタ５２のジャックが抜かれても瞬時にＦＥＴスイッチ５４をＯＮにし、バッテリー側に切り替えることができない。
【００１１】
また、マイコン５７はＡＣアダプタ５２のプラグ５３が、電源に挿入されているかを検出していない。そのため、プラグ５３が電源に挿入されていなくても、カムコーダにＡＣアダプタ５２のジャックが挿し込まれれば、電源がＡＣアダプタ側に切り替えられ、電源が供給されなくなってしまう。
【００１２】
図７は、従来のカムコーダ６２の使用状態の一例を示す。図７Ａに示すように、カムコーダ６２に備えられるディスプレイ６１には撮影対象の画像が表示される。カムコーダ６２には、バッテリー６３が装着されており、またＡＣアダプタ６４のジャック６７が挿し込まれている。ＡＣアダプタ６４のプラグ６５は、商用電源６６に挿入されている。
【００１３】
図７Ａの状態でプラグ６５が商用電源６６から抜けると、図７Ｂに示すように、カムコーダ６２の動作は止まり、ディスプレイ６１には何も写らなくなる。カムコーダ６２にＡＣアダプタ６４のジャック６７が挿し込まれているため、カムコーダ６２のマイコンはＡＣアダプタ側を選択する。しかし、ＡＣアダプタ６４のプラグ６５は商用電源６６に挿入されていないため、電源が供給されず、カムコーダ６２の動作は止まってしまう。
【００１４】
図８は、従来のカムコーダ６２の他の使用状態を示す。図８Ａに示すように、カムコーダ６２には、バッテリー６３のみが装着され、ディスプレイ６１には撮影対象の画像が表示される。図８Ａの状態で、商用電源６６と接続されていないＡＣアダプタ６４のジャック６７をカムコーダ６２に挿し込むと、図８Ｂに示すようにカムコーダ６２の動作は止まり、ディスプレイ６１に何も写らなくなってしまう。これは、カムコーダ６２にジャック６７が挿しこまれることにより、ＡＣアダプタ側が選択されるが、ＡＣアダプタ６４のプラグ６５が商用電源６６に挿入されていないため、カムコーダ６２に電源が供給されなくなるからである。
【００１５】
図９は、カムコーダ６２のさらに他の使用状態を示す。図９Ａに示すように、カムコーダ６２にはバッテリー６３が装着され、さらに商用電源６６と接続されたＡＣアダプタ６４から電源が供給されている。図９Ａの状態でジャック６７を抜くと、図９Ｂに示すように瞬間的に動作が止まり、ディスプレイ６１には何も写らなくなる。その後、図９Ｃに示すようにバッテリー６３から電源が供給され、カムコーダ６２は再び動作するが、図９Ａが記録状態の場合は、記録状態に復帰することはできない。
【００１６】
ジャック６７が抜かれるとカムコーダ６２のマイコンによりバッテリー側が選択されるが、上述したように電源切替回路の切替を瞬時に行うことができないため、カムコーダ６２の動作が、瞬間的に停止してしまう。バッテリー側が選択され、バッテリー６３から電源が供給されると、図９Ｃに示すようにカムコーダ６２は再び動作する。
【００１７】
上述した現象は、カムコーダのユーザが注意することにより防げるが、第三者の不注意により発生するおそれがある。例えば、第三者が、コードに足を掛けて、プラグを電源から引き抜いてしまった場合などである。特に、光ディスク等の情報記録媒体に画像を記録するときは、テープに記録することとは異なり、途中まで記録するということができないため、撮影画像が記録できていないという事態が生じるおそれがある。
【００１８】
従って、この発明の目的は、電源切替回路の切替を瞬時に行うことができる携帯撮像装置および電源切替制御方法を提供することである。
【課題を解決するための手段】
【００１９】
上述した課題を解決するために、この発明による携帯撮像装置は、
少なくとも、ＡＣアダプタと接続される第１の電源端子と、バッテリーと接続される第２の電源端子を備えた携帯撮像装置において、
第１および第２の電源端子の少なくとも一方から入力される電圧から基準電圧を形成する手段と、
第１の電源端子から入力される入力電圧の値と、基準電圧の値を比較する比較手段と、
第１の電源端子および第２の電源端子にそれぞれ接続される第１および第２のスイッチング素子とを備え、
比較手段によって入力電圧の値と基準電圧の値を比較した結果、
入力電圧の値が基準電圧の値より高いときは、第１のスイッチング素子がＯＮされると共に、第２のスイッチング素子がＯＦＦされ、
入力電圧の値が基準電圧の値より低いときは、第１のスイッチング素子がＯＦＦされると共に、第２のスイッチング素子がＯＮされる携帯撮像装置である。
【００２０】
この発明による電源切替制御方法は、
少なくとも、ＡＣアダプタと接続される第１の電源端子と、バッテリーと接続される第２の電源端子を備えた携帯撮像装置の電源切替制御方法において、
第１および第２の電源端子の少なくとも一方から入力される電圧から基準電圧を形成する形成ステップと、
基準電圧の値および第１の電源端子から入力される入力電圧の値を比較する比較ステップと、
比較ステップの結果、
入力電圧の値が基準電圧の値より高いときは、第１の電源端子と接続された第１のスイッチング素子をＯＮすると共に、第２の電源端子と接続された第２のスイッチング素子をＯＦＦし、
入力電圧の値が基準電圧の値より低いときは、第１のスイッチング素子をＯＦＦすると共に、第２のスイッチング素子をＯＮする制御ステップとからなる電源切替制御方法である。
【発明の効果】
【００２１】
この発明によれば、バッテリーと電源と接続されたＡＣアダプタとのどちらか一方が接続されていれば、携帯撮像装置の動作は継続し、ユーザはより自然な操作感で携帯撮像装置を使用できる。
【００２２】
この発明によれば、電源と接続されたＡＣアダプタを使用することにより、長時間の撮影でも携帯撮像装置の動作を止めることなく、バッテリーの交換作業が可能となる。また、撮影対象の決定的な場面を逃すということを防ぐことができる。
【発明を実施するための最良の形態】
【００２３】
以下、図面を参照しながらこの発明の一実施形態について説明する。この一実施形態では、携帯撮像装置をカムコーダとして説明する。図１はこの発明を適用したカムコーダに備えられる電源切替回路の一例を示す。図１における破線Ａ−Ａ´の左側がカムコーダの外部を示し、右側がカムコーダに内蔵される回路構成である。カムコーダには、参照符号１４で示す箇所にバッテリー１１と接続される電源端子と、参照符号１５で示す箇所にＡＣアダプタ１２のジャックと接続される電源端子がそれぞれ設けられる。
【００２４】
図１に示す回路では、はじめにバッテリー１１の電圧と、ＡＣアダプタ１２の電圧から基準電圧が形成される。バッテリー１１の電圧は、ダイオードＤ１を介して定電圧レギュレータ２１に供給される。また、ＡＣアダプタ１２の電圧は、ダイオードＤ２を介して定電圧レギュレータ２１に供給される。ダイオードＤ１およびダイオードＤ２は、逆流防止のため設けられる。
【００２５】
定電圧レギュレータ２１では、供給された電圧のうち高い方の電圧が選択され、基準電圧が形成される。バッテリー１１若しくはＡＣアダプタ１２の何れかが接続されていない場合は、一方の供給電圧は０Ｖとされる。尚、バッテリー１１とＡＣアダプタ１２の双方が接続されていないときは、電源の供給がないため、カムコーダは動作しない。
【００２６】
定電圧レギュレータ２１は、例えば、シリーズレギュレータの構成の降圧型レギュレータであり、入力電圧より低い出力電圧を発生する。定電圧レギュレータ２１の出力電圧が抵抗Ｒ１および抵抗Ｒ２により分圧され、基準電圧が形成される。基準電圧は抵抗Ｒ６を介してコンパレータ２２の入力端子に供給される。
【００２７】
ＡＣアダプタ１２から入力された電圧は、抵抗Ｒ３および抵抗Ｒ４により分圧されたあと、抵抗Ｒ５を介してコンパレータ２２の他方の入力端子に供給される。以下、コンパレータ２２の他方の入力端子に供給されるＡＣアダプタ１２の出力電圧を分圧した電圧を入力電圧と称する。
【００２８】
コンパレータ２２は、基準電圧の値と入力電圧の値を比較し、入力電圧の有無を検出する。通常、ＡＣアダプタ１２から電源が供給されている場合は、バッテリー１１の消費を少なくするため、ＡＣアダプタ側が優先的に使用される。この一実施形態においても、コンパレータ２２は、入力電圧の有無を検出し、電源を切り替える制御信号を発生する。
【００２９】
コンパレータ２２における入力電圧と基準電圧の比較の結果、入力電圧の値が基準電圧よりも高ければコンパレータ２２の出力はＬとなり、入力電圧の値が基準電圧よりも低ければコンパレータ２２の出力はＨとなる。尚、コンパレータ２２には、ヒステリシスを持たせるため、抵抗Ｒ７が設けられる。
【００３０】
コンパレータ２２の出力は、バッテリー１１用の電源端子１４と接続されるＦＥＴスイッチＳＷ２のゲートに供給される。また、コンパレータ２２の出力は、インバータ２３により反転され、反転された出力は、ＡＣアダプタ１２用の電源端子１５と接続されるＦＥＴスイッチＳＷ１のゲートに供給される。
【００３１】
ＦＥＴスイッチＳＷ１およびＦＥＴスイッチＳＷ２は、ゲートがＨになるとＯＮする。例えば、ＦＥＴスイッチＳＷ１のゲートがＨになると、ＦＥＴスイッチＳＷ１はＯＮし、ＡＣアダプタ１２からの電源がＤＣ−ＤＣコンバータ２４に供給される。このとき、ＦＥＴスイッチＳＷ２のゲートがＬとなり、ＦＥＴスイッチＳＷ２はＯＦＦする。
【００３２】
表１は、一実施形態におけるＦＥＴスイッチＳＷ１およびＦＥＴスイッチＳＷ２の状態を示す。
【００３３】
【表１】
2005253147.tif 000003
【００３４】
ＡＣアダプタ欄の○は、カムコーダにＡＣアダプタ１２のジャックが挿し込まれ、かつプラグ１３が電源に挿入されている場合で、ＡＣアダプタ１２から電源が供給されることを示す。また×は、プラグ１３が電源に挿入されていない場合やＡＣアダプタ１２のジャックがカムコーダに挿し込まれていない場合で、ＡＣアダプタ１２から電源の供給がない場合である。
【００３５】
バッテリー欄についても同様であり、○はバッテリー１１がカムコーダに装着されて電源が供給されることを示し、×はカムコーダにバッテリー１１が装着されていないことを示す。
【００３６】
表１における(1)の状態は、ＡＣアダプタ１２およびバッテリー１１の電圧が共に０Ｖの場合である。このときは、カムコーダは動作しない。
【００３７】
(2)の状態では、商用電源と接続されたＡＣアダプタ１２のみがカムコーダに接続されている。定電圧レギュレータ２１および抵抗Ｒ１、Ｒ２によって、ＡＣアダプタ１２の電圧から基準電圧が形成され、コンパレータ２２の入力端子に供給される。コンパレータ２２の他方の入力端子には、ＡＣアダプタ１２の電圧が抵抗Ｒ３、Ｒ４によって分圧された入力電圧が供給される。入力電圧の値が基準電圧の値よりも高くなるように設定されているので、コンパレータ２２の出力はＬとなる。
【００３８】
コンパレータ２２の出力Ｌは、ＦＥＴスイッチＳＷ２のゲートに供給され、ＦＥＴスイッチＳＷ２がＯＦＦする。また、コンパレータ２２の出力Ｌは、インバータ２３により反転しＨとなり、ＦＥＴスイッチＳＷ１のゲートに供給され、ＦＥＴスイッチＳＷ１がＯＮする。ＦＥＴスイッチＳＷ１がＯＮすると、ＤＣ−ＤＣコンバータ２４に対して、ＡＣアダプタ１２側から電源が供給される。
【００３９】
(3)の状態は、カムコーダにバッテリー１１のみから電源が供給される場合である。基準電圧は、バッテリー１１の電圧から定電圧レギュレータ２１および抵抗Ｒ１、Ｒ２により形成される。ＡＣアダプタ１２の電圧は０Ｖであるため、入力電圧は基準電圧より低くなり、コンパレータ２２の出力はＨとなる。
【００４０】
コンパレータ２２の出力ＨはＦＥＴスイッチＳＷ２のゲートに供給される。ＦＥＴスイッチＳＷ２は、入力がＨなのでＯＮし、バッテリー１１からＤＣ−ＤＣコンバータ２４に対して電源が供給される。また、コンパレータ２２の出力Ｈは、インバータ２３により反転しＬとされ、ＦＥＴスイッチＳＷ１のゲートに供給される。ＦＥＴスイッチＳＷ１は、入力がＬであるため、ＯＦＦする。
【００４１】
(4)の状態は、バッテリー１１とＡＣアダプタ１２の両者が接続されている場合である。バッテリー１１とＡＣアダプタ１２の両者が接続されているときは、ＡＣアダプタ側が優先的に使用される。
【００４２】
通常、バッテリー１１の電圧よりもＡＣアダプタ１２の電圧の方が高いため、定電圧レギュレータ２１では、基準電圧はＡＣアダプタ１２の電圧から形成される。コンパレータ２２で基準電圧と比較される入力電圧は変わらないため、コンパレータ２２の出力は(2)の場合と同様にＬとなる。
【００４３】
コンパレータ２２の出力はＬであることから、インバータの出力はＨとなり、ＦＥＴスイッチＳＷ１はＯＮし、ＦＥＴスイッチＳＷ２はＯＦＦし、ＡＣアダプタ１２側からＤＣ−ＤＣコンバータ２４に対して電源が供給される。即ち、バッテリー１１とＡＣアダプタ１２の双方から電源が供給されるときは、ＡＣアダプタ側が選択され、ＤＣ−ＤＣコンバータ２４へ電源が供給される。
【００４４】
例えば、回路定数の一例として、定電圧レギュレータ２１の出力（基準電圧）を３Ｖとし、Ｒ１＝１０ＫΩ、Ｒ２＝３９ＫΩ、Ｒ３＝２２０ＫΩ、Ｒ４（Ｒ５およびＲ６も同様）＝１００ＫΩ、Ｒ７＝１ＭΩとすると、コンパレータ２２の出力は、ＡＣアダプタ１２からの電圧が７．８１Ｖ以上のときはＬとなり、６．９５Ｖ以下になるとＨになる。
【００４５】
上述した電源切替回路の構成では、従来のソフトウェア処理と異なり、ハードウェアで処理を行っているので、バッテリー側とＡＣアダプタ側の切替を瞬時に行うことができる。
【００４６】
この一実施形態における電源供給回路には、さらに分圧回路２５を介して電源が供給されるポートを有する電源制御用マイコン２６が備えられる。電源制御用マイコン２６に備えられるＡ／Ｄコンバータのポートは、バッテリー１１用の電源端子１４と接続されており、例えばバッテリー１１の残量の計測を行いカムコーダに備えられるディスプレイに表示する。
【００４７】
また、電源制御マイコン２６のポートは、ＡＣアダプタ１２用の電源端子１５とも接続されている。電源制御マイコン２６は、例えばＡＣアダプタ１２の電圧を監視し、正常値でないときは異常と判別し、ディスプレイに異常である旨を表示する。
【００４８】
分圧回路２５は、電源制御マイコン２６に供給されるバッテリー１１およびＡＣアダプタ１２の電圧が、Ａ／Ｄポートの最大入力範囲に収まるように分圧する。
【００４９】
定電圧レギュレータ２１で形成された基準電圧は、電源制御マイコン２６に対しても供給される。各系統に電力を供給するＤＣ−ＤＣコンバータ２４が動作しない場合でも、バッテリーの残量の測定、機器の異常検出等を行う必要があるため、電源制御マイコン２６に対しても電圧が供給されるようにするためである。
【００５０】
図２は、上述した一実施形態の変形例である。ＦＥＴスイッチＳＷ１およびＦＥＴスイッチＳＷ２を切り換える際に、回路の動作速度によっては、瞬間的に両方のＦＥＴスイッチがＯＮしてしまう期間がある。バッテリー１１が装着されている状態でＡＣアダプタ１２を取り外した瞬間に両方のＦＥＴスイッチがＯＮすると、バッテリー１１からの電圧が、ＦＥＴスイッチＳＷ２からＦＥＴスイッチＳＷ１を介してＡＣアダプタ１２用の電源端子まで到達してしまい、ＡＣアダプタ１２から電源が供給されていると判断してしまう可能性がある。
【００５１】
ＡＣアダプタ１２が接続されていると判断されると、今度はＦＥＴスイッチＳＷ１がＯＮし、ＦＥＴスイッチＳＷ２がＯＦＦするが、実際にはＡＣアダプタ１２は接続されていないので、ＡＣアダプタ１２は接続されていないと判断する。この状態を繰り返してしまい、ＦＥＴスイッチＳＷ１とＦＥＴスイッチＳＷ２が高速に切り換ってしまう状態になる可能性がある。
【００５２】
このような、誤検出を防ぐため、カムコーダからＡＣアダプタ１２を取り外しても、所定の時間、強制的にＦＥＴスイッチＳＷ１をＯＦＦする。図２における破線１０１内の回路は、ＦＥＴスイッチＳＷ１を強制的にＯＦＦするための制御回路の一例である。コンパレータ２２の出力側にワンショットマルチバイブレータ３１が設けられており、ワンショットマルチバイブレータ３１の出力とコンパレータ２２の出力がＯＲゲート３２に入力される。
【００５３】
図３Ａは、コンパレータ２２の出力、即ちワンショットマルチバイブレータ３１の入力パルス波形を示す。また、図３Ｂは、ワンショットマルチバイブレータ３１の出力パルス波形を示し、図３ＣはＯＲゲート３２の出力パルス波形を示す。
【００５４】
図３Ａにおいて、はじめはカムコーダにバッテリー１１とＡＣアダプタ１２の両方が接続されているため、コンパレータ２２の出力はＬとなる。カムコーダからＡＣアダプタ１２が取り外されると出力はＨとなる。しかしながら上述したような誤検出をすると、ＨとＬを繰り返してしまう。
【００５５】
ワンショットマルチバイブレータ３１では、入力パルスにトリガがかかると、出力のパルス波形はＬからＨとなり、かつＴで示す所定の期間、Ｈを保つことができる。Ｈを保つ所定の期間Ｔは、ワンショットマルチバイブレータ３１が有する抵抗ＲXとコンデンサＣXにより決定される。
【００５６】
ＯＲゲート３２では、コンパレータ２２の出力と、ワンショットマルチバイブレータ３１の出力とのＯＲをとっているので、ＯＲゲート３２の出力は、図３Ｃに示すようにノイズが除去された出力となる。この出力により、安定的にＦＥＴスイッチＳＷ１とＦＥＴスイッチＳＷ２の切替を行うことができる。
【００５７】
図２における破線１０２内は、ＡＣアダプタ１２から供給される電源によりバッテリー１１を充電するための回路の一例である。電源制御マイコン２６の充電ポートは、ＯＲゲート３３およびＯＲゲート３４と接続される。また、ＯＲゲート３３の入力は、インバータ２３と接続され、ＯＲゲート３４の入力は、ＯＲゲート３２の出力と接続される。ＯＲゲート３３の出力はＦＥＴスイッチＳＷ１のゲートへ供給され、ＯＲゲート３４の出力はＦＥＴスイッチＳＷ２のゲートへ供給される。
【００５８】
カムコーダのモードを充電モードとすると、電源制御マイコン２６に設けられる充電ポートがＨとされる。ＯＲゲート３３、３４のそれぞれにＨが入力されるため、ＯＲゲート３３、３４のそれぞれの出力がＨとなり、ＦＥＴスイッチＳＷ１およびＦＥＴスイッチＳＷ２が共にＯＮする。
【００５９】
ＦＥＴスイッチＳＷ１およびＦＥＴスイッチＳＷ２がＯＮすると、ＡＣアダプタ１２の電圧はバッテリー１１の電圧より高いため、ＦＥＴスイッチＳＷ１およびＦＥＴスイッチＳＷ２を介して、バッテリー１１に電圧が供給され、充電がされる。ＡＣアダプタ１２やバッテリー１１の電圧は、電源制御マイコン２６により確認され、充電終了時には、充電ポートはＬとなる。通常、充電モードは、カムコーダの電源はＯＦＦとされ、ディスプレイには何も表示されない。
【００６０】
上述した一実施形態の電源切替回路による効果について説明する。図４は、この発明を適用したカムコーダ４２の使用状態の一例を示す。図４Ａでは、バッテリー４３が装着されたカムコーダ４２が、ＡＣアダプタ４４から供給される電源により動作している。図４Ａに示す状態で、何らかの要因により、プラグ４５が商用電源６６から外れても、速やかにバッテリー側に切り替わり、バッテリー４３から電源が供給される。従って、図４Ｂに示すようにカムコーダ４２の動作が停止することなく、ディスプレイ４１には撮影対象の画像が表示され続ける。
【００６１】
図５は、カムコーダ４２の他の使用状態を示す。図５Ａはバッテリー４３から供給される電源で動作しているカムコーダ４２を示す。動作しているカムコーダ４２に対して電源と接続されていないＡＣアダプタ４４のジャック４７を挿し込んでも、図５Ｂに示すようにカムコーダ４２の動作は停止することはない。これは、ＡＣアダプタ４４のジャック４７が挿し込まれても、ＡＣアダプタ４４の電圧が０Ｖのため、回路が切り替わることがなく、バッテリー４３からの電源の供給が継続するからである。
【００６２】
図６は、カムコーダ４２のさらに他の使用状態を示す。図６Ａは、ＡＣアダプタ４４から供給される電源により動作しているカムコーダ４２を示す。カムコーダ４２にはバッテリー４３が装着されているが、ＡＣアダプタ４４から供給される電源が優先的に用いられる。
【００６３】
図６Ｂに示すように、ＡＣアダプタ４４のジャック４７を抜いてもカムコーダ４２の動作は停止せず、図６Ｃに示すように動作は継続する。これは、ジャック４７が抜かれることによりＡＣアダプタから供給される電圧が０Ｖと判別され、瞬時にバッテリー側に切り替わるためである。ＡＣアダプタ側とバッテリー側の切替は、ハードウェア処理されるため瞬時に行うことができ、カムコーダ４２の電源が瞬間的に停止することもない。
【００６４】
この発明は、この発明の要旨を逸脱しない範囲内でさまざまな変形や応用が可能であり、上述した一実施形態に限定されることはない。例えば、一実施形態では、形成された基準電圧の値と、入力電圧の値の比較を、コンパレータ２２を用いて行ったが、ソフトウェアの割り込み処理によっても行うことができる。
【図面の簡単な説明】
【００６５】
【図１】この発明の携帯撮像装置に用いられる回路構成の一例を示す回路図である。
【図２】この発明の携帯撮像装置に用いられる回路構成の他の例を示す回路図である。
【図３】出力パルス波形を示す略線図である。
【図４】この発明を適用した携帯撮像装置の使用状態の一例を示す略線図である。
【図５】この発明を適用した携帯撮像装置の使用状態の他の例を示す略線図である。
【図６】この発明を適用した携帯撮像装置の使用状態のさらに他の例を示す略線図である。
【図７】従来の携帯撮像装置の使用状態の一例を示す略線図である。
【図８】従来の携帯撮像装置の使用状態の他の例を示す略線図である。
【図９】従来の携帯撮像装置の使用状態のさらに他の例を示す略線図である。
【図１０】従来の携帯撮像装置に用いられる回路構成の一例を示すブロック図である。
【符号の説明】
【００６６】
１１          バッテリー
１２          ＡＣアダプタ
２１          定電圧レギュレータ
２２          コンパレータ
２３          インバータ
２６          電源制御マイコン
【図１】
2005253147.tif 000004
【図２】
2005253147.tif 000005
【図３】
2005253147.tif 000006
【図４】
2005253147.tif 000007
【図５】
2005253147.tif 000008
【図６】
2005253147.tif 000009
【図７】
2005253147.tif 000010
【図８】
2005253147.tif 000011
【図９】
2005253147.tif 000012
【図１０】
2005253147.tif 000013